(57)【要約】      （修正有）【課題】換気性能に優れ、雨水の小屋裏への侵入を防止できる屋根用換気部材を提供する。【解決手段】ルーフィング１１９で覆った屋根材１０１に葺設した最上段の瓦１１６にロアプレート１３の第４傾斜面１３ａを載置し、換気部材を母屋の垂直の壁面１００と屋根材１０１との接合部１０２に形成された換気口１０３に被せ、釘１５で屋根材１０１に固定する。アッパープレートの第１折り曲げ面１１ａを壁面１００に当接し、釘等で固定し、サイディング１１８で覆う。換気部材を換気口１０３に被せることにより、実線の矢印で示すように、換気口１０３から第４通気開口１３ｃ、第１通気空間、第２通気空間を通り第１通気開口及び第２通気開口に通じる通気通路Ｂが形成される。同時に、破線の矢印で示すように、インナープレート１２の内部に侵入した雨水が第２切欠穴と第１切欠穴を通ってアッパープレートの外部へ排出される排水路Ｃが形成される。【選択図】図３
2015145564.tif 000002
【特許請求の範囲】
【請求項１】
家屋の垂直の壁面と、壁面の途中から斜め下方に延びる下屋の屋根材との接合部に形成された換気口に被せるように設置して、下屋の小屋裏空間を換気する屋根用換気部材であって、
アッパープレートとインナープレート及びロアプレートを備え、
アッパープレートが設置時に壁面に当接させる第１折り曲げ面と、第１折り曲げ面の下端部から下屋の屋根材と平行に延びる第１傾斜面と、第１傾斜面の下端部に垂設された第２折り曲げ面と、第２折り曲げ面の下端部から下屋の屋根材と平行に延びる第２傾斜面から成り、
第１傾斜面の複数個所に第１通気開口を形成するとともに、各第１通気開口の内部に第１通気開口の上端部から斜め下方に延びる第１ルーバーを垂設し、
第２折り曲げ面に第２通気開口を形成するとともに、第２通気開口の内部に第２通気開口の上端部から斜め上方へ延びる第２ルーバーを垂設し、かつ第２折り曲げ面の下端部に第１切欠穴を形成し、
インナープレートが第１傾斜面の裏面に接合された第１接合面と、第１接合面の下端部に垂設された第３折り曲げ面と、第３折り曲げ面の下端部から第１傾斜面と平行に延びる第３傾斜面と、第３傾斜面の下端部に垂設され、第２折り曲げ面に対向する第４折り曲げ面から成り、
第３傾斜面に第３通気開口を形成し、
第４折り曲げ面の下端部に第２切欠穴を形成するとともに、第２切欠穴を第１切欠穴と対向しないように段違い配置し、
ロアプレートが第３傾斜面に対向するとともに、下端面が第２傾斜面の裏面に接合された第４傾斜面と、第４傾斜面の上端部に立設した第５折り曲げ面から成り、
第５折り曲げ面を第３折り曲げ面の後方に配置して、第５折り曲げ面の上端部と第１接合面の間に第４通気開口を形成するとともに、第５折り曲げ面の上端部に水返しを設け、
第４傾斜面を下屋の屋根材に載置することにより、換気口から順に第４通気開口、インナープレートとロアプレートで区画される第１通気空間、第３通気開口及びインナープレートとアッパープレートで区画される第２通気空間を通り第１通気開口及び第２通気開口に通じる通気通路が形成され、
かつ第１通気開口及び第２通気開口から第３通気開口を通ってインナープレートの内部に侵入した雨水が第２切欠穴と第１切欠穴を通ってアッパープレートの外部へ排出されるようにしたことを特徴とする屋根用換気部材。
【請求項２】
片流れ屋根の頂部に形成された換気口に被せるように設置して、小屋裏空間を換気する屋根用換気部材であって、
アッパープレートとインナープレート及びロアプレートを備え、
アッパープレートが設置時に垂直な壁面に当接させる第１折り曲げ面と、第１折り曲げ面の下端部から片屋根の屋根材と平行に延びる第１傾斜面と、第１傾斜面の下端部に垂設された第２折り曲げ面と、第２折り曲げ面の下端部から片屋根の屋根材と平行に延びる第２傾斜面から成り、
第１傾斜面の複数個所に第１通気開口を形成するとともに、各第１通気開口の内部に第１通気開口の上端部から斜め下方に延びる第１ルーバーを垂設し、
第２折り曲げ面に第２通気開口を形成するとともに、第２通気開口の内部に第２通気開口の上端部から斜め上方へ延びる第２ルーバーを垂設し、かつ第２折り曲げ面の下端部に第１切欠穴を形成し、
インナープレートが第１傾斜面の裏面に接合された第１接合面と、第１接合面の下端部に垂設された第３折り曲げ面と、第３折り曲げ面の下端部から第１傾斜面と平行に延びる第３傾斜面と、第３傾斜面の下端部に垂設され、第２折り曲げ面に対向する第４折り曲げ面から成り、
第３傾斜面に第３通気開口を形成し、
第４折り曲げ面の下端部に第２切欠穴を形成するとともに、第２切欠穴を第１切欠穴と対向しないように段違い配置し、
ロアプレートが第３傾斜面に対向するとともに、下端面が第２傾斜面の裏面に接合された第４傾斜面と、第４傾斜面の上端部に立設した第５折り曲げ面から成り、
第５折り曲げ面を第３折り曲げ面の後方に配置して、第５折り曲げ面の上端部と第１接合面の間に第４通気開口を形成するとともに、第５折り曲げ面の上端部に水返しを設け、
第４傾斜面を片屋根の屋根材に載置することにより、換気口から順に第４通気開口、インナープレートとロアプレートで区画される第１通気空間、第３通気開口及びインナープレートとアッパープレートで区画される第２通気空間を通り第１通気開口及び第２通気開口に通じる通気通路が形成され、
かつ第１通気開口及び第２通気開口から第３通気開口を通ってインナープレートの内部に侵入した雨水が第２切欠穴と第１切欠穴を通ってアッパープレートの外部へ排出されるようにしたことを特徴とする屋根用換気部材。
【請求項３】
インナープレートの第３傾斜面とロアプレートの第４傾斜面の間に防虫部材を配置したことを特徴とする請求項１又は２に記載の屋根用換気部材。
【発明の詳細な説明】
【技術分野】
【０００１】
本発明は屋根に設置して家屋の小屋裏を換気する屋根用換気部材に関する。
【背景技術】
【０００２】
屋根用換気部材の一形式として、特開２００６−６３７２５号公報には、図５に示すように、家屋の垂直の壁面１００と、壁面１００の途中から斜め下方に延びる下屋の屋根材１０１との接合部１０２に形成された換気口１０３に被せるように設置して、下屋の小屋裏空間１０４を換気する屋根用換気部材１１０が開示されている。
【０００３】
この屋根用換気部材１１０はアッパープレート１１１とインナープレート１１２及びロアプレート１１３を備え、アッパープレート１１１とロアプレート１１３の間にスペーサー１１４を介してインナープレート１１２を組み込み、アッパープレート１１１の下端部に垂設した折り曲げ面１１１ａとロアプレート１１３の下端部に立設した折り曲げ面１１３ａの上端部で通気開口１１５を区画形成している。インナープレート１１２に設けた折り曲げ面１１２ａで換気口１０３と通気開口１１５を上下に屈曲しながら連通する通気通路Ａを形成している。また、ロアプレート１１３の上端部に立設した折り曲げ面１１３ｂの上端部に水返し１１３ｃを形成し、ロアプレート１１３の下端部に設けた折り曲げ面１１３ａの基端部に切欠穴１１３ｄを形成し、アッパープレート１１１とロアプレート１１３で区画された内部空間に通気開口１１５から侵入した雨水が換気口１０３から小屋裏１０４に浸入するのを防止するとともに、雨水を切欠穴１１３ｄから外部に排水するように構成している。この屋根用換気部材１１０は屋根材１０１に葺設した最上端段の瓦１１６に載置し、釘１１７で屋根材１０１に固定される。また、アッパープレート１１１の上端部に形成した折り曲げ面１１１ｂが垂直の壁面１００に固定され、サイディング１１８で被覆される。
【先行技術文献】
【特許文献】
【０００４】
【特許文献１】特開２００６−６３７２５号公報
【発明の概要】
【発明が解決しようとする課題】
【０００５】
上記した従来の屋根用換気部材１１０では、雨水の小屋裏１０４への浸入を防止するため通気開口１１５と換気口１０３を連通する通路の途中が、複数枚のインナープレート１１２の折り曲げ面１１２ａによって屈曲するように形成されている。この折り曲げ面１１２ａで空気の流れが妨げられるため、十分な換気性能を確保できない。
本発明はかかる問題点に鑑みてなされたものであって、雨水の小屋裏１０４への侵入を防止するとともに、換気性能の高い屋根用換気部材を提供することを目的とする。
ことを目的とする。
【課題を解決するための手段】
【０００６】
請求項１に記載の発明は、家屋の垂直の壁面と、壁面の途中から斜め下方に延びる下屋の屋根材との接合部に形成された換気口に被せるように設置して、下屋の小屋裏空間を換気する屋根用換気部材であって、
アッパープレートとインナープレート及びロアプレートを備え、
アッパープレートが設置時に壁面に当接させる第１折り曲げ面と、第１折り曲げ面の下端部から下屋の屋根材と平行に延びる第１傾斜面と、第１傾斜面の下端部に垂設された第２折り曲げ面と、第２折り曲げ面の下端部から下屋の屋根材と平行に延びる第２傾斜面から成り、
第１傾斜面の複数個所に第１通気開口を形成するとともに、各第１通気開口の内部に第１通気開口の上端部から斜め下方に延びる第１ルーバーを垂設し、
第２折り曲げ面に第２通気開口を形成するとともに、第２通気開口の内部に第２通気開口の上端部から斜め上方へ延びる第２ルーバーを垂設し、かつ第２折り曲げ面の下端部に第１切欠穴を形成し、
インナープレートが第１傾斜面の裏面に接合された第１接合面と、第１接合面の下端部に垂設された第３折り曲げ面と、第３折り曲げ面の下端部から第１傾斜面と平行に延びる第３傾斜面と、第３傾斜面の下端部に垂設され、第２折り曲げ面に対向する第４折り曲げ面から成り、
第３傾斜面に第３通気開口を形成し、
第４折り曲げ面の下端部に第２切欠穴を形成するとともに、第２切欠穴を第１切欠穴と対向しないように段違い配置し、
ロアプレートが第３傾斜面に対向するとともに、下端面が第２傾斜面の裏面に接合された第４傾斜面と、第４傾斜面の上端部に立設した第５折り曲げ面から成り、
第５折り曲げ面を第３折り曲げ面の後方に配置して、第５折り曲げ面の上端部と第１接合面の間に第４通気開口を形成するとともに、第５折り曲げ面の上端部に水返しを設け、
第４傾斜面を下屋の屋根材に載置することにより、換気口から順に第４通気開口、インナープレートとロアプレートで区画される第１通気空間、第３通気開口及びインナープレートとアッパープレートで区画される第２通気空間を通り第１通気開口及び第２通気開口に通じる通気通路が形成され、
かつ第１通気開口及び第２通気開口から第３通気開口を通ってインナープレートの内部に侵入した雨水が第２切欠穴と第１切欠穴を通ってアッパープレートの外部へ排出されるようにしたことを特徴とする。
【０００７】
請求項２に記載の発明は
片流れ屋根の頂部に形成された換気口に被せるように設置して、小屋裏空間を換気する屋根用換気部材であって、
アッパープレートとインナープレート及びロアプレートを備え、
アッパープレートが設置時に垂直な壁面に当接させる第１折り曲げ面と、第１折り曲げ面の下端部から片屋根の屋根材と平行に延びる第１傾斜面と、第１傾斜面の下端部に垂設された第２折り曲げ面と、第２折り曲げ面の下端部から片屋根の屋根材と平行に延びる第２傾斜面から成り、
第１傾斜面の複数個所に第１通気開口を形成するとともに、各第１通気開口の内部に第１通気開口の上端部から斜め下方に延びる第１ルーバーを垂設し、
第２折り曲げ面に第２通気開口を形成するとともに、第２通気開口の内部に第２通気開口の上端部から斜め上方へ延びる第２ルーバーを垂設し、かつ第２折り曲げ面の下端部に第１切欠穴を形成し、
インナープレートが第１傾斜面の裏面に接合された第１接合面と、第１接合面の下端部に垂設された第３折り曲げ面と、第３折り曲げ面の下端部から第１傾斜面と平行に延びる第３傾斜面と、第３傾斜面の下端部に垂設され、第２折り曲げ面に対向する第４折り曲げ面から成り、
第３傾斜面に第３通気開口を形成し、
第４折り曲げ面の下端部に第２切欠穴を形成するとともに、第２切欠穴を第１切欠穴と対向しないように段違い配置し、
ロアプレートが第３傾斜面に対向するとともに、下端面が第２傾斜面の裏面に接合された第４傾斜面と、第４傾斜面の上端部に立設した第５折り曲げ面から成り、
第５折り曲げ面を第３折り曲げ面の後方に配置して、第５折り曲げ面の上端部と第１接合面の間に第４通気開口を形成するとともに、第５折り曲げ面の上端部に水返しを設け、
第４傾斜面を片屋根の屋根材に載置することにより、換気口から順に第４通気開口、インナープレートとロアプレートで区画される第１通気空間、第３通気開口及びインナープレートとアッパープレートで区画される第２通気空間を通り第１通気開口及び第２通気開口に通じる通気通路が形成され、
かつ第１通気開口及び第２通気開口から第３通気開口を通ってインナープレートの内部に侵入した雨水が第２切欠穴と第１切欠穴を通ってアッパープレートの外部へ排出されるようにしたことを特徴とする。
【０００８】
請求項３に記載の発明は、請求項１又は２に記載の屋根用換気部材において、インナープレートの第３傾斜面とロアプレートの第４傾斜面の間に防虫部材を配置したことを特徴とする。
【発明の効果】
【０００９】
請求項１及び請求項２に記載の屋根用換気部材によれば、換気口と第１通気開口及び第２通気開口を連通する通気通路の途中が屈曲していない。また、アッパープレートの第１傾斜面の複数個所に第１通気開口を形成するとともに、アッパープレートの第２折り曲げ面に第２通気開口を形成したので、通気通路の空気の流れが円滑になり、十分な換気性能を得ることができる。
【００１０】
第１通気開口と第２通気開口にルーバーを設けたので、ルーバーで雨水を跳ね返すことができ、アッパープレートの内部に雨水が浸入するのを抑制できる。また、アッパープレートの第２折り曲げ面に形成した第１切欠穴とインナープレートの第４折り曲げ面に形成した第２切欠穴を段違いに配置したので、第１切欠穴からアッパープレートの内部に侵入した雨水が、第２切欠穴を通ってインナープレートの内部に浸入するのを、インナープレートの第４折り曲げ面で遮ることができる。
【００１１】
請求項３に記載の発明によれば、蜂、蛾等の昆虫が小屋裏に侵入するのを防止できる。
【図面の簡単な説明】
【００１２】
【図１】本発明の第１実施例に係る屋根用換気部材を示す分解斜視図である。
【図２】同換気部材の横断面図である。
【図３】同換気部材を設置した屋根を示す説明図である。
【図４】本発明の第２実施例に係る屋根用換気部材を設置した屋根を示す説明図である。
【図５】従来の屋根用換気部材を設置した屋根を示す説明図である。
【実施例１】
【００１３】
以下に本発明を図面に基づき説明する。図１〜図３には本発明の第１実施例に係る屋根用換気部材１０が示されている。当該屋根用換気部材１０は、母屋の垂直の壁面１０１と、壁面１０１の途中から斜め下方に延びる下屋の屋根材１０１との接合部１０２に形成された換気口１０３に被せるように、最上段の瓦１１６に載置して固定し、下屋の小屋裏空間１０４を換気する屋根用換気部材１０であって、鋼板を所要形状にプレス加工して製作したアッパープレート１１とインナープレート１２及びロアプレート１３及び防虫部材１４を備えている。
【００１４】
アッパープレート１１は、設置時に壁面１００に当接させる第１折り曲げ面１１ａと、第１折り曲げ面１１ａの下端部から下屋の屋根材１０１と平行に延びる第１傾斜面１１ｂと、第１傾斜面１１ｂの下端部に垂設された第２折り曲げ面１１ｃと、第２折り曲げ面１１ｃの下端部から下屋の屋根材１０１と平行に延びる第２傾斜面１１ｄで構成されている。
【００１５】
アッパープレート１１には、第１折り曲げ面の１１ａの上端部を屈曲して水返し１１ｅが形成されている。アッパープレート１１の第１傾斜面１１ｂには第１通気開口１１ｆが形成されている。第１通気開口１１ｆは換気部材１０の長手方向に延びる長方形を有し、換気部材１０の幅方向の下側半分の領域に３本の第１通気開口１１ｆが互いに平行に配列されている。各第１通気開口１１ｆの内部にはルーバー１１ｇが設けられている。ルーバー１１ｇは第１通気開口１１ｆの上端部から垂設され、上端部から第１通気開口１１ｆの内部へと斜め下方に延びている。
【００１６】
アッパープレート１１の第２折り曲げ面１１ｃには第２通気開口１１ｈが形成されている。第２通気開口１１ｈは第１通気開口１１ｆと同じ長方形を有し、換気部材１０の長手方向に延びている。第２通気開口１１ｈの内部にはルーバー１１ｇが設けられている。このルーバー１１ｇは第２通気開口１１ｈの上端部から垂設され、上端部から第２通気開口１１ｈの内部へと斜め上方へ延びている。また、第２折り曲げ面１１ｃの下端部の３箇所に第１切欠穴１１ｉが形成されている。各第１切欠穴１１ｉは等間隔で換気部材１０の長手方向に沿って配列されている。アッパープレート１１の第２傾斜面１１ｄの下端部には折り返し部１１ｊが形成されている。
【００１７】
インナープレート１２は、アッパープレート１１の第１傾斜面１１ｂの裏面に接合され、換気部材１０の幅方向の上側半分の幅を有する第１接合面１２ａと、第１接合面１２ａの下端部に垂設された第３折り曲げ面１２ｂと、第３折り曲げ面１２ｂの下端部からアッパープレート１１の第１傾斜面１１ｂと平行に延びる第３傾斜面１２ｃと、第３傾斜面１２ｃの下端部に垂設され、アッパープレート１１の第２折り曲げ面１１ｃに対向する第４折り曲げ面１２ｄで構成されている。
【００１８】
インナープレート１２の第３傾斜面１２ａに第３通気開口１２ｅが形成されている。第３通気開口１２ｅは換気部材１０の長手方向に沿って延びる長方形を有し、換気部材１０の長手方向に沿って３箇所に形成され、各第３通気開口１２ｅが直線的に整列している。
【００１９】
インナープレート１２の第４折り曲げ面１２ｄの下端部の２箇所に第２切欠穴１２ｆが形成されている。アッパープレート１１の第１切欠穴１１ｉとインナープレート１２の第２切欠穴１２ｆは互いに対向しないように段違い配置されている。
【００２０】
ロアプレート１３は、インナープレート１２の第３傾斜面１２ｃに対向するとともに、下端面がアッパープレート１１の第２傾斜面１１ｄの裏面に接合された第４傾斜面１３ａと、第４傾斜面１３ａの上端部に立設した第５折り曲げ面１３ｂで構成されている。第４傾斜面１３ａの下端部はアッパープレート１１の折り返し部１１ｊに挿入されている。第５折り曲げ面１３ｂはインナープレート１２の第３折り曲げ面１２ｂの後方に配置され、第５折り曲げ面１３ｂの上端部とインナープレート１２の第１接合面１２ａの間に第４通気開口１３ｃが区画形成されている。また、第５折り曲げ面１３ｂの上端部には水返し１３ｄが設けられている。
【００２１】
防虫部材１４はインナープレート１２の第３傾斜面１２ｃとロアプレート１３の第４傾斜面１３ａの間に設けられている。防虫部材１４はプラスチック成形品で内部に換気部材の幅方向に延びる多数の通孔が形成され、通孔を覆うようにネット１４ａが張り付けられている。防虫部材１４は上面がインナープレート１２の第３傾斜面１２ｃに接着され、下面がロアプレート１３の第４傾斜面１３ａに接着されている。
【００２２】
第１実施例に係る屋根用換気部材１０の構造は以上の通りであって、図３に示すように、ルーフィング１１９で覆った屋根材１０１に葺設した最上段の瓦１１６にロアプレート１３の第４傾斜面１３ａを載置し、換気部材１０を母屋の垂直の壁面１００と屋根材１０１との接合部１０２に形成された換気口１０３に被せ、釘１５で屋根材１０１に固定する。アッパープレート１１の第１折り曲げ面１１ａを壁面１００に当接し、釘等で固定し、サイディング１１８で覆う。換気部材１０を換気口１０３に被せることにより、実線の矢印で示すように、換気口１０３から順に第４通気開口１３ｃ、防虫部材１４、インナープレート１２の第３傾斜面１２ｃとロアプレート１３の第４傾斜面１３ａで区画される第１通気空間、第３通気開口１２ｅ及びインナープレート１２の第３傾斜面１２ｃとアッパープレート１１の第１傾斜面１１ｂで区画される第２通気空間を通り第１通気開口１１ｆ及び第２通気開口１１ｈに通じる通気通路Ｂが形成される。同時に、破線の矢印で示すように、第１通気開口１１ｆ及び第２通気開口１１ｈから第３通気開口１２ｅを通ってインナープレート１２の内部に侵入した雨水が第２切欠穴１２ｆと第１切欠穴１１ｉを通ってアッパープレート１１の外部へ排出される排水路Ｃが形成される。
【００２３】
第１実施例に係る屋根用換気部材１０によれば、  換気口１０３と第１通気開口１１ｆ及び第２通気開口１１ｉを連通する通気通路Ｂの途中が屈曲していない。また、アッパープレート１１の第１傾斜面１１ｂの３個所に第１通気開口１１ｆを形成するとともに、アッパープレート１１の第２折り曲げ面１１ｃに第２通気開口１１ｈを形成したので、通気通路Ｂの空気の流れが円滑になり、十分な換気性能を得ることができる。
【００２４】
第１通気開口１１ｆと第２通気開口１１ｈに設けたルーバー１１ｇで雨水を跳ね返すことができるので、アッパープレート１１の内部に雨水が浸入するのを抑制できる。また、アッパープレート１１の第２折り曲げ面１１ｃに形成した第１切欠穴１１ｉとインナープレート１２の第４折り曲げ面１２ｄに形成した第２切欠穴１２ｆを段違いに配置したので、第１切欠穴１１ｉからアッパープレート１１の内部に侵入した雨水が、第２切欠穴１２ｆを通ってインナープレート１２の内部に浸入するのを、インナープレート１２の第４折り曲げ面１２ｄで遮ることができる。
さらにまた、通気通路Ｂの途中に防虫部材１４を配置したので、蜂、蛾等の昆虫が小屋裏１０４に侵入するのを防止できる。
【実施例２】
【００２５】
次に本発明の第２実施例に係る屋根用換気部材２０を図４に示す。当該屋根用換気部材２０は片流れ屋根１２０の頂部に形成された換気口１２１に被せるように設置して、小屋裏空間１２２を換気するためのものであって、アッパープレート１１とインナープレート１２及びロアプレート１３を備え、アッパープレート１１には設置時に片流れ屋根１２０における垂直な壁面１２４に当接させる第１折り曲げ面１１ｋが形成されている。第１実施例に係る屋根用換気部材１０では、第１折り曲げ面１１ａが第１傾斜面１１ｂに対しその表面側に折り曲げられているが、第２実施例に係る屋根用換気部材２０では第１折り曲げ面１１ｋが第１傾斜面１１ｂに対し、その裏面側へ折り曲げられている。
第２実施例に係る屋根用換気部材２０のその他の構成は第１実施例に係る屋根用換気部材１０と同じであるので、同一の構成要素に同一の符号を付して説明を省略する。
【００２６】
図４に示すように、ルーフィング１１９で覆った片流れ屋根１２０の屋根材１２５に葺設した最上段の瓦１２６にロアプレート１３の第４傾斜面１３ａを載置し、換気部材２０を片流れ屋根１２０の頂部に形成された換気口１２１に被せる。アッパープレート１１の第１折り曲げ面１１ｋを片流れ屋根１２０の垂直の壁面１２４に当接し、釘等で固定し、サイディング１２７で覆う。換気部材２０を換気口１２１に被せることにより、実線の矢印で示す通気通路Ｂと、破線の矢印で示す排水路Ｃが形成される。
【符号の説明】
【００２７】
１０、２０…屋根用換気部材
１１…アッパープレート
１１ａ…第１折り曲げ面
１１ｂ…第１傾斜面
１１ｃ…第２折り曲げ面
１１ｄ…第２傾斜面
１１ｅ…水返し
１１ｆ…第１通気開口
１１ｇ…ルーバー
１１ｈ…第２通気開口
１１ｉ…第１切欠穴
１１ｊ…折り返し部
１１ｋ…第１折り曲げ面
１２…インナープレート
１２ａ…第１接合面
１２ｂ…第３折り曲げ面
１２ｃ…第３傾斜面
１２ｄ…第４折り曲げ面
１２ｅ…第３通気開口
１２ｆ…第２切欠穴
１３…ロアプレート
１３ａ…第４傾斜面
１３ｂ…第５折り曲げ面
１３ｃ…第４通気開口
１３ｄ…水返し
１４…防虫部材
１００，１２４…壁面
１０１，１２５…屋根材
１０３，１２１…換気口
１２０…片流れ屋根
１２２…小屋裏空間
Ａ，Ｂ…通気通路
Ｃ…排水路
【図１】
2015145564.tif 000003
【図２】
2015145564.tif 000004
【図３】
2015145564.tif 000005
【図４】
2015145564.tif 000006
【図５】
2015145564.tif 000007